(57)【要約】【課題】ブックブロックから成る無線綴じされた本を、連続的で自動的な供給によって製造すること。【解決手段】枚葉紙及び／又は折丁から成るブックブロックの整向のための装置３００が処理機械内での使用のために設定されており、該処理機械内では本又は印刷製品の製造を実行可能であり、ブックブロック１００が装置内へ供給可能であり、該装置が、ベースプレート３０１で構成された整向ステーションで形成されており、ベースプレートが、当接面３０３を端部側に備えており、ベースプレートが可動の手段３０４を備えており、該手段が、当接面に対して運動３０６，３０７を実行し、手段３０４の運動が、当接面と作用結合して、ブックブロックエッジ３０８において枚葉紙及び／又は折丁１００ａの整向を遂行し、ブックブロック１００が、整向が行われた後、別の加工のための搬送クランプによって捕捉可能である。【選択図】図３
2018039261.tif 000002
【特許請求の範囲】
【請求項１】
複数の枚葉紙及び／又は折丁から成るブックブロックの整向のための装置であって、当該装置（２００，３００）が処理機械（１）内での使用のために設定されており、該処理機械内では本又は印刷製品の製造を実行可能であり、前記装置が、前記処理機械内で第１の加工ステーション（５）の上流に配置されており、前記ブックブロック（１００）が自動的に、又は手動で直接的に又は間接的に前記装置内へ供給可能であり、該装置が、少なくとも１つのベースプレート（３０１，４０１）で構成された少なくとも１つの整向ステーションで形成されており、前記ベースプレートが、垂直又はほぼ垂直に延びる少なくとも１つの当接面（３０３）を端部側に備えており、前記ベースプレートが少なくとも１つの可動の手段（３０４，４０２）を備えており、該手段が、前記当接面に対して少なくとも１つの運動（３０６，３０７；４０４，４０５，４０６，４０７）を実行し、前記手段（３０４，４０２）の運動が、前記当接面と作用結合して、少なくとも１つのブックブロックエッジ（３０８）において前記枚葉紙及び／又は前記折丁（１００ａ）の整向を遂行し、前記ブックブロック（１００）が、整向が行われた後、別の加工のための少なくとも１つの搬送クランプ（１１，１２，１３）によって捕捉可能である、装置。
【請求項２】
複数の枚葉紙及び／又は折丁から成るブックブロックの整向のための装置であって、当該装置（５００，６００）が処理機械内での使用のために設定されており、該処理機械内では本又は印刷製品の製造を実行可能であり、前記装置が、前記処理機械内で第１の加工ステーションの上流に配置されており、前記ブックブロックが自動的に、又は手動で直接的に又は間接的に前記装置内へ供給可能であり、該装置が少なくとも１つの整向ステーションで形成されており、該整向ステーションが、並列して駆動されるか、又は自由に回転可能ないくつかのローラ（５０２）で構成されており、これらローラが、ベースプレート（５０１）に作用結合されているか、又は統合的なローラ軌道（６０２）を形成しており、前記ローラ上では、前記ブックブロックが当接面との作用結合において少なくとも１つの運動によって前記枚葉紙及び／又は前記折丁（１００ａ）の整向を少なくとも１つのブックブロックエッジ（３０８）において受けるように、前記ブックブロックが、端部に配置された少なくとも１つの当接面（３０３）へ運動可能であり、前記ブックブロック（１００）が、整向が行われた後、別の加工のための少なくとも１つの搬送クランプ（１１，１２，１３）によって捕捉可能である、装置。
【請求項３】
複数の枚葉紙及び／又は折丁から成るブックブロックの整向のための装置であって、当該装置（７００）が処理機械内での使用のために設定されており、該処理機械内では本又は印刷製品の製造を実行可能であり、前記装置が、前記処理機械内で第１の加工ステーション（５）の上流に配置されており、前記ブックブロックが自動的に、又は手動で直接的に又は間接的に前記装置内へ供給可能であり、該装置が少なくとも１つの整向ステーションで形成されており、該整向ステーションが、少なくとも１つのベースプレート（７０１）、ローラが装着されたベースプレート（５０１）又はローラ軌道（６０２）で構成されており、これら各要素（７０１，５０１，６０２）が、垂直又はほぼ垂直に延びる少なくとも１つの当接面（３０３）を端部側に備えており、該当接面が、前記ブックブロックが少なくとも１つの運動によって前記枚葉紙及び／又は前記折丁（１００ａ）の整向を少なくとも１つのブックブロックエッジ（３０８）において受けるように、前記加工ステーションの方向において前記ブックブロックへ作用する前記運動（７０３，７０４，７０５，７０６）を生じさせ、先行する前記ブックブロックエッジが前記ベースプレート（７０１，５０１）又は前記ローラ軌道（６０２）上の境界箇所（７０２）と一致すると、前記ブックブロックの運動が終了し、該境界箇所では、前記ブックブロック（１００）が、別の加工のための搬送クランプ（１１，１２，１３）によって捕捉可能である、装置。
【請求項４】
前記処理機械が無線綴じライン又は無線綴じ機であることを特徴とする請求項１〜３のいずれか１項に記載の装置。
【請求項５】
前記処理機械が、本質的に、背加工ステーション、接着剤塗布ステーション、押圧ステーション及びカバーフィーダで構成されており、前記処理機械がいくつかの搬送クランプ（１１，１２，１３）を備えていることを特徴とする請求項１〜４のいずれか１項に記載の装置。
【請求項６】
前記搬送クランプの数が、前記加工ステーションの数と同一であるか、この数より多いか、又はこの数より少ないことを特徴とする請求項５に記載の装置。
【請求項７】
無線綴じされた本又は印刷製品を製造するためのプロセスが、制御プロファイルによって制御可能であることを特徴とする請求項１〜６のいずれか１項に記載の装置。
【請求項８】
前記ベースプレート（３０１，４０１）、前記ローラが装着されたベースプレート（５０１／５０２）又は前記ローラ軌道（６０２）が振動機構（３１１）に結合されていることを特徴とする請求項１〜３のいずれか１項に記載の装置。
【請求項９】
前記手段が少なくとも１つの運動体で構成されており、該運動体が、前記ベースプレートの表面に配置されているか、又は独立して構成されており、少なくとも１つの駆動部を介して、少なくとも１つの方向において前記当接面（３０３）に対して少なくとも１つの運動を遂行することを特徴とする請求項１又は２に記載の装置。
【請求項１０】
前記運動が、一定に（３０５，・・・）、間欠的に（３０６，３０７，・・・）又は方向転換するように（４０４，・・・）設定されていることを特徴とする請求項９に記載の装置。
【請求項１１】
前記運動体が、後退ベルト又は後退プレート（３０４）で構成されており、前記後退ベルト及び前記後退プレートは、少なくとも一方側で駆動部（３０９）に結合されていることを特徴とする請求項９に記載の装置。
【請求項１２】
前記手段が、連続的に循環する搬送ベルト（４０２）で構成されており、該搬送ベルトが、少なくとも部分的に前記ベースプレート（４０１）の上側で操作されること、及び前記搬送ベルトの走行方向が変更可能であることを特徴とする請求項１に記載の装置。
【請求項１３】
前記搬送ベルトの前記走行方向が、一定に（４０６）、間欠的に（４０５，４０７）又は方向転換するように（４０４）設定されていることを特徴とする請求項１２に記載の装置。
【請求項１４】
前記運動体のブックブロック側の表面が、そのグリップ性を高めるためにグリップ構造（３１２，・・・）を備えていることを特徴とする請求項１，４〜１３のいずれか１項に記載の装置。
【請求項１５】
前記ローラ（５０２）が前記ベースプレートの内部に配置されているとともに少なくとも１つの方向（５０３，５０４）に回転可能であり、前記ローラが、前記ベースプレートの表面からある程度突出しており、前記ローラが、表面側で前記ブックブロックの運動面を形成しており、前記ローラが、直接的に又は間接的に駆動可能であり、前記ローラが、後方の前記ブックブロックエッジ（３０８）が位置安定的に前記当接面（３０３）に一致するまで、少なくとも任意のトルクで負荷されていることを特徴とする請求項２に記載の装置。
【請求項１６】
少なくとも１つの前記ローラの回転方向が、一定に、間欠的に又は方向転換するように設定されていることを特徴とする請求項１５に記載の装置。
【請求項１７】
前記ローラが、前記ブックブロックの運動面を形成する統合的なローラ軌道（６０２）を形成しており、前記ローラ軌道の前記ローラが、直接的に又は間接的に駆動可能であり、前記ローラが、後方の前記ブックブロックエッジ（３０８）が前記当接面（３０３）と一致するまで、少なくとも任意のトルクで負荷されていることを特徴とする請求項２に記載の装置。
【請求項１８】
少なくとも１つの前記ローラの回転方向が、一定に、間欠的に又は方向転換するように設定されていることを特徴とする請求項１７に記載の装置。
【請求項１９】
前記搬送クランプ（１１，１２，１３）が、前記ブックブロックと同時に、前方へ向けた運動を行うことを特徴とする請求項３に記載の装置。
【請求項２０】
前記振動機構（３１１）が、前記運動体、前記ローラ又は前記ローラ軌道の使用前又は使用中に用いられることを特徴とする請求項８〜１９のいずれか１項に記載の装置。
【請求項２１】
請求項１〜２０のうちいずれか１項又は複数項に記載の装置を動作させるための方法であって、処理機械内で第１の加工ステーションの上流に配置されている装置が、複数の枚葉紙及び／又は折丁から成るブックブロックの統合的な整向を遂行し、個々の前記ブックブロックが自動的に、又は手動で前記装置内へ供給可能であり、前記処理機械が、無線綴じされた印刷製品の製造のために動作され、連続して異なる前記ブックブロックの製造が、前記装置を含めて連続して自動的に行われるとともに、以下の方法ステップ：
ａ）連続的に生産される第１のジョブから後続の第２のジョブへ交換するときに、後続のジョブの送り込まれるブックブロックがバーコードを介して検出され、前記ブックブロックが、前記処理機械内へのその導入前に、前記ブックブロックの整向のための装置の手前で停止されるステップ；
ｂ）後続のジョブの前記ブックブロックが前記装置の手前の待機位置にとどまっている間に、先行するジョブの残りのブックブロックが前記処理機械の個々の前記加工ステーションを介して案内されるとともに処理が完了されるステップ；
ｃ）先行するジョブの最後のブックブロックの完成後、後続のジョブのブックブロックのためのカバーが確実に使用可能であることが確認されるまで、後続のジョブに属しカバー除去装置において置かれたカバーの空排出が開始されるステップ；
ｄ）排出された前記カバーが後続のジョブの前記ブックブロックに確実に一致することが確認されるとすぐに、前記機械のメイン制御部が前記後続のジョブの停止された前記ブックブロックを解放し、そして、該ブックブロックが、前記処理機械内へ導入されるとともに個々の前記加工ステーションによって処理されるステップ
に基づき行われる、方法。
【発明の詳細な説明】
【技術分野】
【０００１】
枚葉紙及び／又は折丁から成るブックブロックの更なる処理の範囲では、特に無線綴じ機とも呼ばれる無線綴じラインとして形成された処理機械では、交換過程を行うことなく相前後した複数のジョブによる縫い目のない製品の意義が増大している。この意義は、最少の版数又はジョブにつき１つの本まで将来的に版数、すなわち本の各数量が大きく変更されると考えられる場合に更に際立つ。これにより、以下では、ブックブロックはばらばらの枚葉紙及び／又は折丁の集まりと理解される一方、本としてはこのようなブックブロックの処理が完成したものと離間されることが定義による規定としてみなされるべきである。
【０００２】
小さな版数へのこの展開は、特にデジタル環境では急速に意義が増大している。この展開においてジョブに関連する調節がラインの正味生産出力に大きく影響し、経済性に関して決定的なファクタへ変化することが明らかである。
【０００３】
また、例えば、本へ処理されるブックブロックが常に完璧な処理を有する必要があることを小さな版数においても保証することが重要である場合に、品質保証に関する妥協に応じてはならないことも明らかである。
【０００４】
したがって、装置及び方法に関する独立請求項における従来技術に属する特徴による本発明の技術分野においては、どのように枚葉紙及び／又は折丁から成るブックブロックのエッジによる最初における確実な整向を、ブックブロックの処理時に複数の加工ステーションを介してどのように遂行し得るかを提案することが重要である。
【０００５】
上述のように、処理機械としてここでは無線綴じラインが重要な位置を占め、この無線綴じラインは、無線綴じされた製品における通常の構成を形成し、しかし、これに限定して理解されるべきではない。
【背景技術】
【０００６】
特許文献１から、本の製造に用いられ、例えばブックブロックガイドステーション、ブックブロック加工ステーション、接着剤塗布ステーション、折りステーション、カバーフィーダ、カバー押圧ステーション、排紙ステーション及び乾燥ステーションのような複数の加工ステーションを備えた無線綴じ機が公知となっている。さらに、無線綴じ機は、ブックブロックを搬送するための、少なくとも２つ、しかし特に３つの搬送クランプと、少なくとも１つの閉鎖されたガイド軌道とを有しており、このガイド軌道上で搬送クランプが循環し加工ステーションを通過する。各搬送クランプのうち１つには、無端の循環式の引張手段を有するそれぞれ１つの駆動部が割り当てられており、各搬送クランプは引張手段に結合されている。このとき、駆動部は、互いに独立して操作するとともに、無線綴じ機の機械制御部によって独立して作動されることが可能である。したがって、各搬送クランプについて１つの引張手段が設けられており、したがって、各搬送クランプは、この搬送クランプに対してあらかじめ設定された速度で運動することができる。すなわち、異なる各搬送クランプ間の間隔が生じる。
【０００７】
このために、駆動部の作動のための機械制御部内には、場所に依存した、及び／又は製品に依存した速度プロファイルがメモリされることが可能である。製品に依存し、場所に依存した速度プロファイル及びこれとは逆のものも存在し得る。ここで、場所に依存した速度プロファイルは、閉鎖されたガイド軌道に沿って、それぞれ少なくとも保持位置によって制限される複数の運動部分が規定されることを意味している。したがって、例えば各保持位置に対して１つの対応する静止状態をメモリすることが可能である。また、保持位置間の各運動部分に対して異なる速度をメモリすることもでき、例えば、背加工ステーションにおける速度は、乾燥ステーションにおける速度よりも大きくてよい。生産に依存した速度プロファイルは、この速度プロファイルが製造されるべき本すなわちそのフォーマット、ブックブロック厚さ、接着剤厚さ、接着剤及びその特性、紙材料などに依存していることを意味する。
【０００８】
この無線綴じ機は、適合した静止状態時間と、運動部分における異なる運動プロファイルとによって無線綴じ機の出力が向上し得るという利点を明らかに有している。製造されるべき本の品質も向上し得る。なぜなら、速度プロファイルがそれぞれ搬送速度あるいは静止状態時間をプロセス技術的な最高の状態に近い状態とすることができるためである。したがって、カバーの押圧のためのより長い静止状態時間は、各カバーがより良好にブックブロックへ付着し、ブックブロックの背がより良好に成形されることができ、ブックブロックがより良好に硬化され得ることに貢献し得る。保持位置にある加工ステーションがガイド軌道に沿って任意に位置している、すなわち最適な位置に配置されることができることで、更なる利点が得られる。保持位置を互いに統一的な間隔で配置することがもはや不要である。加工ステーションは、顧客の要求に合わせて、網目スクリーン（Ｒａｓｔｅｒ）と共にガイド軌道に沿って配置されることが可能である。したがって、異なる機械構成を容易に提供することが可能である。
【０００９】
この無線綴じ機は、特に搬送クランプのための少なくとも２つの保持位置と、その下方において、ブックブロック導入のための保持位置と、カバーをブックブロックへ押圧するための保持位置とを有している。場合によっては、完成したブックブロックを導出するための追加の保持位置を設けることが可能である。各保持位置では、搬送クランプが各搬送クランプに割り当てられた駆動部によって静止状態へもたらされる。また、例えば背のない小冊子（Ｆｒｅｉｒｕｅｃｋｅｎｂｒｏｓｃｈｕｒｅｎ）、スイスブローシュア（Ｓｃｈｗｅｉｚｅｒ  Ｂｒｏｓｃｈｕｒｅｎ）及び「オタバインド（Ｏｔａｂｉｎｄ）」の製造のために、ガイド軌道に沿ったブックブロックの第１の循環時に接着剤及び折りストリップ（Ｆａｅｌｚｅｌｓｔｒｅｉｆｅｎ）を設けることができ、ガイド軌道に沿ったブックブロックの第２の循環時に接着剤及びカバーを設けることが可能である。
【００１０】
これと対照的に、ブックブロックの処理が複数のステーションを介して循環するより多くの搬送クランプに基づき行われ、したがって加工されるべきブックブロックの完璧な整向がより長い区間にわたって満たされ得る高出力の無線綴じ機、例えばスイスの企業ミューラーマルティニ株式会社（Ｍｕｅｌｌｅｒ  Ｍａｒｔｉｎｉ  ＡＧ）の「アレグロ（Ａｌｅｇｒｏ）」無線綴じ機では実施しており、この可能性は、ここで基礎とされる無線綴じ機（特許文献１参照）では使用できない。すなわち、ブックブロックの完璧な整向は、加工プロセスの開始時に本来存在しているか、あるいは提供される必要がある。
【００１１】
従来技術によれば、通常、無線綴じ機は、以下の加工ステーションを備えている：背加工ステーション、接着剤塗布ステーション、カバーフィーダとしてのステーション、カバーを取り付けるための押圧ステーション。さらに、ブックブロック搬送システム、ブックブロック導入ステーション、中間乾燥部、背補強部その他のような補足的な要素を付け加えることが可能である。列挙した処理ステーションは、限定的に理解されるべきではない。
【００１２】
このような無線綴じ機においては基本的に手動で行われ、整向された挿入操作（Ｅｉｎｌｅｇｅｏｐｅｒａｔｉｏｎ）をよりどころとすることは正しいが、このことは、４．０基準（「フィニッシング（Ｆｉｎｉｓｈｉｎｇ）４．０」についてのスイス企業ミューラーマルティニ株式会社のホームぺージ参照）による自動的な生産の目標ではないため、自動的なブックブロックの供給、すなわち自動的で継続的な、枚葉紙及び／又は折丁の完璧に整向されたブックブロックの保証が加工の開始時において存在する必要がある。
【００１３】
類似の別の無線綴じラインが特許文献２から知られている。すなわち、この文献においては、例えばブックブロック導入ステーション、ブックブロック加工ステーション、接着剤塗布ステーション、カバーフィーダ及び押圧ステーションのような複数の加工ステーションと、ブックブロックを個々の加工ステーションを通して搬送するブックブロック搬送システムとを有する、本、雑誌及び小冊子のような印刷製品の製作のための製本機械が問題となっている。ブックブロック搬送システムは、直線状の部分範囲、弓状の部分範囲及びカーブ状の部分範囲並びにブックブロックを挟持するための複数のクランプを有する閉鎖されたガイド軌道を備えており、これらクランプは、ガイド軌道上で転動するガイドローラを有するガイドキャリッジを備えており、クランプは、共通に、又は個々に、駆動部によって駆動される。
【００１４】
ここでは、ガイドキャリッジは固定された３つのガイドローラを備えており、これらガイドローラは、三角形の形態でガイドキャリッジに固定されている。２つのガイドローラは、直線状の部分、弓状の部分及びカーブ状の部分から成るマスター軌道上で進行し、第３のガイドローラは、同様に直線状の部分、弓状の部分及びカーブ状の部分から成る、数学−幾何学的は法則に基づき生じるスレーブ軌道上で進行する。ガイドキャリッジは、ガイド軌道の外部に配置された少なくとも１つの駆動部に結合されている。
【００１５】
上述の両文献の内容は、本明細書の統合的な構成要素を形成するものであり、特許文献２において詳述されているようなガイドローラの数は、その数に関して制限又は拡張を意味している。
【００１６】
特許文献３は、フィードデッキ、フィード装置、供給デッキ及び個別化装置を有する、平坦な製品を設置し、別々にするための製品処理装置に関するものである。フィード装置の一部は、製品処理装置のフィードデッキの下方に配置されており、供給デッキは、供給デッキの上方に配置された個別化装置の一部を有する個別化ローラのための開口部を備えている。上述の部分及び個別化ローラは、平坦な製品のスタックを個別化するための個別化装置のメインロックを形成しており、フィード装置及び個別化装置の制御のための制御ユニットが設けられている。フィード装置は、様々なフォーマットを有する平坦な製品のスタック（ＳＴ）のエッジ整向のために構成されているとともに、少なくとも２つの搬送要素（１４１．．．１４ｘ）を備えている。これら搬送要素は、搬送方向ｘに対して横方向へのスタック（ＳＴ）の自動的に押動と、整向壁へのスタック（ＳＴ）のフィードと、個別化装置の供給デッキ（１３，２１）への搬送方向ｘにおけるスタック（ＳＴ）の搬送と、搬送方向ｘとは逆方向へのスタック（ＳＴ）の押動とを可能とするものである。運動手段は、個別化装置の部分（２６５，２６９＊）を搬送方向とは逆方向へ運動させるために設けられている。製品処理装置（１）のフィード装置の搬送要素の整向状態を制御するため、及び個別化装置の部分の運動を制御するための手段が設けられており、個別化装置の上述の部分は、搬送方向ｘとは逆方向のスタックの押動を可能とするものである。さらに、特許文献３による個別化装置は、平坦な製品が側方に位置して搬送されることに基づいている。
【００１７】
特許文献４では、製本機械あるいは無線綴じ機において使用される供給装置が問題となっており、綴じられていないブックブロックは、ここでは振動装置によって整向される。
【００１８】
特許文献５では、スタックからシート材料を個別化するための装置が問題となっている。
【先行技術文献】
【特許文献】
【００１９】
【特許文献１】独国特許出願公開第１０２０１２０２３３７０号明細書
【特許文献２】独国特許出願公開第１０２０１２０１８８２８号明細書
【特許文献３】独国実用新案第２０２０１５１０２３３３号明細書
【特許文献４】欧州特許出願公開第２５１４６０４号明細書
【特許文献５】独国特許出願公開第１９６５３４２４号明細書
【発明の概要】
【発明が解決しようとする課題】
【００２０】
ここで、本発明は、従来技術を充実させようとするものである。各請求項において特徴付けられた本発明の基礎をなす課題は、様々な寸法及びジョブサイズを有する先行するブックブロックから成る無線綴じされた本を、連続的で自動的な供給によって、又は必要に応じて手動での挿入によって製造すること、及び個々のジョブの間の最小の静止状態時間で加工することにある。出発点として、集められた枚葉紙及び／又は折丁から成るブックブロックが存在し、本又は印刷製品へのその更なる処理に先立ってエッジについて完璧に整向される必要がある。
【００２１】
特許文献２による無線綴じラインの使用が設定されるべき場合には、個々のガイドキャリッジのガイドローラの数が３つに制限されるのではなく、ガイドキャリッジがそれぞれの側（マスター軌道／スレーブ軌道）において複数のガイドローラを備えるように、発明の更なる構成が要求される。
【００２２】
自動化されたブックブロックの供給が基礎とされれば、特に少なく数の搬送クランプを有する無線綴じラインでは、ブックブロックが処理機械の加工ステーションへ案内される前に少なくとも１つのブックブロックエッジの初めの完璧な整向がなされることが重要である。これにより、様々な互いに連続するジョブの間の静止状態時間を最小化するだけでなく、完全に除去することが達成される。
【課題を解決するための手段】
【００２３】
この課題は、本発明により、装置及び方法に関する独立請求項の特徴部の特徴によって解決され、別の好ましい形態は、他の従属請求項に依拠している。
【００２４】
本発明は、無線綴じラインの発展形成を含んでおり、この発展形成においては、ブックブロックが更なる加工へ導入される前に、供給されるブックブロックのばらばら又はほぼばらばらの状態においてエッジについて一貫して、かつ、完全に整向するという最終的な目的を有する、無線綴じラインの第１の加工ステーションの上流に直接設けることが重要である。
【００２５】
本発明に基づき使用される、ブックブロックの完璧な整向を達成するための手段においては、その連続して自動的な供給が重要な位置を占める。しかしながら、ブックブロックの完璧な整向を達成するためのこれら手段は、１つ又は複数のブックブロックが手動で無線綴じラインへ導入される場合にも使用可能であるか、あるいは使用されるべきである。
【００２６】
このために用いられる手段は、組み合わせて用いられるか、又は互いに作用結合して用いられる技術的な特徴で構成されている。
【００２７】
第１の技術的な特徴は、無線綴じラインの始め部分にベースプレートが存在していることにあり、このベースプレートは、連続して又は間欠的に供給されるブックブロックを収容するための開始ステーションとして機能し、このベースプレート上では、他の特徴と施用結合して、ブックブロックの基本的な整向が行われる。
【００２８】
まず、ベースプレートは振動機構に結合されており、この振動機構の機能は、枚葉紙及び／又は折丁の個別化をできる限り持続して導入し、整向傾向を実行することにある。
【００２９】
最小の振動時間は約１秒である。後続の加工ステーションにおける押圧時間又は実行すべき厚さ調整の設定に応じて、振動時間がより長くてもよい。
【００３０】
ただし、この振動機能によってのみでは操作上１００％の確実性が達成されないこと、及びこれによりばらばらに来るブックブロックの構成要素に対して少なくとも１つのブックブロックエッジの整然とした整向が遂行され得ることが実際に明らかとなっている。
【００３１】
したがって、ここでは、本発明によるブックブロックの完璧な整向は、垂直又はほぼ垂直に延びベースプレートの端部側に配置された当接面と作用結合してブックブロックへ作用する運動が採用されることによって達成され、この運動は、ブックブロック全体の１００％所定の整向を達成するためのものである。
【００３２】
したがって、振動運動によってのみでは１００％の整向が達成され得ない場合には、１００％完璧に整向されていない個々のブックブロック部分又は枚葉紙は、当接面へ向けられた光電センサによって早期に検出されることが可能である。この光電センサは、ブックブロックについての存在監視として機能し、これに基づき、特に搬送クランプが機能し始めるように、光電センサによって確認された検査結果に基づき、直接別の処理ステップが開始され、これに基づき、第１の加工ステーションへブックブロックの搬送が開始される。ブックブロックの個々の構成部分の不完全な整向の補正はもはや除去されることがない。
【００３３】
このような１００％整向されていないブックブロックの加工が個々の加工ステーション内での破損の原因も形成し得ることを除いて、搬送クランプの起動後のブックブロックの特に後方のエッジの、不備のある、存在する整向及びエラーは、依然として最小に、完成した本の品質の損失に必然的につながる。
【００３４】
しかし、本発明によれば、振動機能を省略するべきではない。なぜなら、このような振動機能は、ブックブロックの内部の枚葉紙及び／又は折丁の個別化にとって有利であることが立証されているためである。ただし、光電センサは、ブックブロックに対するその存在監視がもはや単独かつコースを設定するように振動機能の機能において発揮されるべきでなく、これ以降、行われた整向過程後に介入すべきである。なぜなら、ブックブロックの完璧な整向は、ブックブロック全体が位置固定された当接面と統合的に一致することが光電センサによって確認されて初めて新たに提供される。この時初めて搬送クランプが機能する。
【００３５】
この状態の充足は本発明による手段によって達成され、これら手段は、ブックブロックの完璧な整向へ導くものであり、したがって、ブックブロックの要求される整向を保証することが重要であれば、振動機能の本発明による予防措置が加えられる。
【００３６】
本発明によれば、このことは、ブックブロックの最終的な当接位置が少なくとも１つの追加的な可動の手段によって達成されることで達成され、この手段は、振動機能を介して作用する。そして、必要であれば、位置固定された当接面の範囲に更に緩衝予防措置が設定され、この緩衝予防措置は、位置固定された当接面に対するブックブロックの後方の当接エッジの運動による「跳躍（Ｈｕｅｐｆｅｎ）」を抑制しようとするものである。
【００３７】
しかし、それぞれ使用される可動の手段の設定された速度プロファイル自体は、通常、この緩衝予防措置が省略され得るように設定されている。しかし、当接面を形成するブックブロック側の本体部は、予防的に、このような緩衝予防措置の取付がいつでも可能であるように形成されるべきである。
【００３８】
この当接面は、ブックブロックの後方のエッジ及びしたがってその他のブックブロックエッジが互いに対して直角状の角度を形成するように、通常、ベースプレートに対して完璧に垂直に向けられた壁として形成されている。
【００３９】
ブックブロックへ作用する、ベースプレートの端部側における、位置固定された当接面に対するブックブロックの後方の当接エッジの１００％の一致を達成するための運動は、位置固定された当接面に対するブックブロックの少なくとも１つの後方へ向いた運動を遂行する手段によってベースプレートが補足されていることにある。
【００４０】
好ましくは、これら手段は、ブックブロックの下側のエッジへの移動の実行時に介入し、この下側のエッジと、使用される手段の接触する表面の間の力の経路が、とりわけブックブロックの重さによって導入される。ブックブロックが位置固定された当接面に初めて当接するときにブックブロックの運動がかならずしも閉鎖されているわけではなく、これにより、ブックブロックへ後方に向けて作用する手段の運動が当接面との接触後にも一時的に続行される場合に、必要に応じて意図的に完璧な整向が最大化され得る。しかしながら、このことにより、ブックブロックが、下側で作用する手段の表面と作用結合においてある程度の安定性を備えている。振動機能が同時に機能したままである場合には、この安定状態は、有利にはブックブロックの整向へ変換され得る。このことは、まだ開放されている搬送クランプがブックブロックに対してまだ十分に大きな側方の自由空間が備えているため可能である。整向の完全な終了後に初めて光電センサが搬送クランプを解放する。
【００４１】
上述のブックブロックエッジが後方へ向けた新たな運動によって再び当接面へ押圧されるように、後方のブックブロックエッジと当接面の間の第１の接触後に、手段の後方へ向いた運動が前方への短く反動をつけるような運動を行うように設定されることができる。この新たな予防措置が振動機能と組み合わせられれば、ばらばらの枚葉紙及び／又は折丁において特に大きな表面張力あるいは摩擦が内部で支配的である場合に、これら枚葉紙及び／又は折丁の完璧な整向を確実に達成することができる。
【００４２】
位置固定された当接面に対するブックブロックの後方へ向いた本発明による押動は、自動的なブックブロック供給において、迅速に交換されるジョブが処理される無線綴じラインにおいても用いられ得る。
【００４３】
ここで、位置固定された当接面が問題となっていれば、これは、位置がまずは固定されているもののこの当接面が必要に応じて押動されて新たな固定された位置を占め得ることを意味し、両水平方向における当接面の推進された押動も可能である。
【００４４】
本発明によれば、ベースプレートの端部側での、位置固定された当接面への、後方へ向けられたブックブロックの運動又は前方へ向けられた運動のためのこの手段の構成は、様々な構成あるいは動作態様を備えるか、あるいは満たす後退体又は後退装置で構成されている。
【００４５】
この手段の本発明による第１の構成はベースプレートの表面側で後退体が作用することにあり、これら後退体は、枚葉紙又は折丁からなるブックブロックを直接支持し、これら後退体は、ベースプレートから離されて独立して、かつ、本質的に平坦な運動を行う。この目的のために、後退体の当接面側の端部が駆動部に結合されており、この駆動部は、効果を発揮する運動を遂行する。この駆動部は、振動過程中に、又はこの振動過程の終了後にのみ機能するか、あるいは機能し始める。
【００４６】
このような後退体は、好ましくは後退ベルト又は後退プレートで構成されており、これら後退ベルト及び後退プレートは、基本的に同一の力学的な経過あるいは運動を行う。
【００４７】
上述のように、使用される運動体、すなわち後退ベルト、後退プレートの後退へ向けられた運動が問題とされている場合には、これによってもっぱら一方向への特定の運動のみがなされると理解されるべきではない。上述のように、ブックブロックの完璧な整向を達成するために、間欠的な短い運動も当接面から離れるように設定され、この運動は、反動をつけるような運動を含み得るとともに、特にこのような過程において振動機能が動作上機能している場合には、ブックブロック内のばらばらの構成要素の持続的な調整に至らしめるものである。
【００４８】
基本的には、ブックブロックの後方の当接エッジの完璧な位置決めが当接面で終了するという通知が出されると、後退ベルト又は後退プレートによって行われる後退機能が終了する。上述の後退体のブックブロック側の表面は、好ましくグリップ構造を備えるべきであり、このグリップ構造は、一方向又は他の方向における後退体の間欠的な運動においてもブックブロックへの確実な力の伝達が行われるように、下側のブックブロックエッジに対するグリップ性の向上に寄与する。
【００４９】
ブックブロックが相互の大きな表面張力あるいは摩擦の展開傾向を有する薄い枚葉紙によって形成されていれば、後退体、すなわち後退ベルト又は後退プレートが間欠的に短く互いになされる後退運動及び全身運動が実行されるように設定されることが可能であり、このことは、振動機能を介してブックブロックの構成要素の確実な整向を保証するという最終的な目的を有している。
【００５０】
したがって、各後退体の運動力学も設定されることが可能であり、この運動力学においては、当接面までのブックブロックの案内が品質保証上の考慮に基づき第１の接触後に終了したものとみなされるわけではなく、後退体が前方へ反動をつけられた運動を行うことで少なくとももう一度反復される。
【００５１】
したがって、後退体のこの運動の反復により、ブックブロックが更なる搬送のための搬送クランプによって把持される前に、ブックブロックの後方の当接エッジがベースプレートの当接面の経過後に完璧かつ均等に整向されることが可能であり、後方の当接エッジがブックブロックの先行するエッジに対置されていることが幾何学的に考察されている。
【００５２】
ベースプレートからの加工ステーションの方向へのブックブロックの更なる搬送は、静止して整向された後退体においてまず実行され、ブックブロックの後方エッジによって直角を形成するブックブロックの下側のエッジがこの後退体の表面上で滑動するか、又はブックブロックがクランプ動作後に更なる搬送のために後退体の表面からやや持ち上げられる。この動的な予防措置は、後退体の表面がむしろ粗いグリップ構造を備える必要がある場合に、特に有利に適用可能である。
【００５３】
加工へ向けられた搬送のために後退体の表面からのブックブロックの持ち上がりが設定される場合には、後退体は、ブックブロックの完全な持ち上げ直後に、次のサイクルのために、駆動制御された逆方向の運動によって即座にその従来の位置を再び占める。
【００５４】
後退体に関する上述の力学は、本発明により、ブックブロックの後退運動が連続的に循環する、ベースプレートの範囲で平坦な区間を描く搬送ベルトによって遂行される場合にも達成され得る。そうでない場合には、ここでも、上記において後退ベルト又は後退プレートと関連して説明したものと同一の考慮が有効である。
【００５５】
ブックブロックの運動、特に後退運動に関する別の本発明による実施態様は、ベースプレートが少なくとも部分的に、駆動部を介して直接的に、又は間接的にブックブロックへ回転された運動へ伝達する内部に取り付けられたローラを備えることにあり、これらローラは、このベースプレートの表面を越えて少しだけ突出している。
【００５６】
そして、ローラの駆動部は、位置固定された当接面へなされたブックブロックの当接後に一時的に停止されるように設定されることもでき、その結果、ローラは、実際に滑らかに適宜自由に回転することが可能であり、したがって、このことは、ローラによって更なる搬送時にブックブロックへの抑制効果を生じさせることはなく、このことは、更なる搬送のためにブックブロックが持ち上げらない場合にも好ましい。
【００５７】
したがって、位置固定された当接面へのブックブロックの当接がなされた後、ローラは、もはや一時的にトルクを有していないか、又は回転運動のためのトルクが、ローラが当接後にまず静止し、そして、ブックブロックが更に搬送される場合にのみ適宜自由に回転するように構成されている。これにつづくサイクルにおいては、ブックブロックが当接するまでローラがまずは再び駆動される。
【００５８】
別の実施態様は、統合的に隣接して配置された、ブックブロックの後方のエッジに対して横方向に作用するローラのみからベースプレートが成ることにある。そして、これらローラは、関連したローラ軌道を形成している。そうでなければ、ベースプレートへ統合される上述のローラを有するこのようなローラ軌道の動的な動作がなされる。
【００５９】
別の実施態様は、上述した当接面がもはや位置固定されないわけではなく、ブックブロックへ向けて前方へ当接する少なくとも１つの運動が行われることにあり、ブックブロックは、まだ開放されている搬送クランプの内のりスパンの間で押動されるか、又は搬送クラップが当接面の移動を先行して、又は運動を一致させて行われることによるものである。そして、両ケースでは、先行するブックブロックのエッジが機械的に又はセンサ制御された所定の位置へ達したときに、ブックブロックの整向が終了したとみなされる。機械的な当接は、この当接が傾動によって別の搬送区間を解放する前に、当接がブックブロックに対して軽いカウンタ力を作用させるように構成されることができる。これによりブックブロックの完璧な整向が達成されて初めて、搬送クランプが機能し始め、把持されたブックブロックは、第１の加工ステーションへ供給される。
【００６０】
上述の全ての後退運動又はその他の運動特性においては、滞っているブックブロックの検出が常に位置適合されて、及び位置安定してなされるように、用いられる搬送クラップが、取り付けられたクランプ連行部材によって後方のブックブロックエッジの整向された平面へ適合する。
【００６１】
さらに、本発明により、無線綴じラインとして形成された少なくとも１つの処理機械を動作させるための方法も提供され、この無線綴じラインは、複数の枚葉紙及び／又は折丁から成るブックブロックの整向のための上述の装置と作用結合しており、ブックブロックは、好ましくは自動的な供給によってなされる。しかし、ブックブロックは手動で入れること、並びにその整向を枚葉紙及び／又は折丁から成るブックブロックの整向のための装置の上述の態様を用いることで行うことも可能であり、これにより、このような挿入によって、ブックブロックの完璧な整向が全てのケースに対して保証されるということが確保されている。両方の種類の供給は、自動的に又は手動で同一の場所又は別々の場所でなされる。
【００６２】
処理機械、すなわち無線綴じラインの動作は、以下の方法ステップに基づいて実行され、わずかな加工ステーションと、大きく制限された数の搬送クランプとを有する無線綴じラインにおいて、ブックブロックの流れの一時的な停止が重ねて省略され得る。なぜなら、このようなケースでは、加工ステーションが方転換のために十分に大きな時間を使用することが可能であるためである。
【００６３】
様々なジョブのこのような生産の転換は、従来技術により公知であるように、バーコード情報の使用に基づいており、これらバーコード情報は、ブックブロック上にも、またカバー上にも、読み取り可能に配置されているとともに、ジョブへの属性が一義的に確認し、再現するという最終的な目的を有している。
【００６４】
加工ステーションの変換に必要な所定のジョブの加工時には、以下の方法ステップが基礎となる：
ｉ）連続的に生産される第１のジョブを後続の第２のジョブへ交換するときに、後続のジョブの導入されるブックブロックがバーコードを介して検出され、ブックブロックが、処理機械内へのその導入前に、ブックブロックの整向のための装置の手前で停止される；
ｉｉ）後続のジョブのブックブロックが装置の手前の待機位置にとどまっている間に、先行するジョブの残りのブックブロックが処理機械の個々の加工ステーションを介して案内されるとともに処理が完了される；
ｉｉｉ）先行するジョブの最後のブックブロックの完成後、後続のジョブのブックブロックのためのカバーが確実に使用可能であることが確認されるまで、後続のジョブに属しカバー除去装置において除去されるカバーの空排出が開始される；
ｉｖ）排出されたカバーが後続のジョブの前記ブックブロックに確実に一致することが確認されるとすぐに、機械のメイン制御部が後続のジョブの停止されたブックブロックを解放し、そして、該ブックブロックが、処理機械内へ導入されるとともに個々の加工ステーションによって処理される。
【００６５】
これにより、低減された数の加工ステーション及び搬送クランプを有する無線綴じラインにおいても、２つの異なるジョブの間のブックブロック供給のそれ自体における短い停止も正当性を有していることが明らかである。それでも、多くのケースでは、このような短い間欠的な期間は、加工ステーション及び送達機能（カバーの排出）における必要な位置変更を行うのに十分である。
【００６６】
したがって、ブックブロックの停止中の空サイクルが多くとも操作上作用する無線綴じラインの加工ステーションの数に対応しているため、ジョブのサイズとは無関係に、及び転換にどのくらいの時間が必要かとは無関係に常に非常に制限されて生産中断となる。
【００６７】
有利には、このような情勢において、無線綴じラインの搬送区間に沿った構成ステップと加工ステップの間の比率を変更する必要がないという事項が評価されるべきであり、これは、設備の簡易化及び安定化に貢献する。搬送クランプの低減された数を有する無線綴じラインのあらかじめ設定されたサイクル内で加工ステーションのこのような変換が行われ得ることが推測上めったに起こらないように、必然的に行われるべきジョブ交換のための空サイクルの機会に必要な時間は、他の考慮に基づいても下位の意義を有する。
【００６８】
多くの更なるケースでは、場合によっては唯一の空サイクルによってこのような変換が行われることができる。したがって、ジョブ内容の条件が満たされるまで、互いに連続するブックブロックのサイズがより大きな変化性を有する必要があるが、これは、印刷製品の大きな変化性の一環として除外されるべきでない。
【００６９】
極端な場合には、最小のジョブサイズ又は個々の印刷製品が互いに連続すべき場合には、本発明により、カバーを先行して外部でスキャンし、この結果に基づき順序を電子的に無線綴じラインのメイン制御部へ伝達することが提案される。そして、処理のために解放されるブックブロックは、スキャンされたカバーに基づき生じる順序に依存している。
【００７０】
所定の変動幅内で変更された厚さを有するブックブロックは、わずかな加工ステーション及び搬送クランプを有する無線綴じラインにおいて、いずれにしても介入なしに連続して生産されることができ、その結果、このような場合には±３．２５ｍｍをはるかに超える厚さの差を有する印刷製品の生産が、高出力の無線綴じ機では動作中にあらかじめ設定されているように、必要な場合に、より大きなブックブロック厚さあるいはより小さなブックブロック厚さのためのより大きな変動幅あるいはより小さな変動幅へ交換される前に、更なる介入を設定する必要なしに行われることが可能である。
【００７１】
したがって、異なるカバーを有する、特に厚さに関して同一の寸法設定がされた印刷製品においては、処理機械の加工ステーションへの転換がなされることが妥当である。これに対して、無線綴じラインの種類によってあらかじめ設定された最小マージンを超える様々なジョブ内でのブックブロックの当初の厚さの変更時には、機械の少なくとも１つの加工ステーションの適合が行われる。
【００７２】
さらに、幅及び高さのようなブックブロックの変更されたフォーマットが存在するか、又はその厚さが一回で最小マージンより大きくなる差を有する場合に、無線綴じラインの加工ステーションの変換が行われる。これにより、それぞれ１つの最小の手間でブックブロックの大きなあるいはより大きなフォーマットの差が処理され得る。
【００７３】
無線綴じされた本の製造は、有利にはデジタル印刷を用いて構成され得る。デジタル印刷及び更なる処理が全体システムへ網目状に結合されているこのような高出力のシステムによって、ローラから完成された印刷製品まで１つの動作過程において全自動化された生産を形成することができ、これにより、最少の版数も極端に迅速かつ経済的に製造されることが可能である。
【００７４】
言及した高出力のシステムは、とりわけ、デジタル本生産のための産業上の完全に統合されたトータルソリューションを提供することに適しており、上述のように、このトータルソリューションによって、小さな版数においても、個々の本又は小冊子まで経済的に動作され得る。データは、プレプレス、デジタル印刷及び印刷製品の更なる処理を一般に高出力無線綴じライン内で本又は小冊子の完成まで開ループ制御及び閉ループ制御する。
【００７５】
バーコードによって電子的に検出される、最初は待機位置にあるブックブロックの特性が加工ステーションの手前で強制的に行われる無線綴じラインの１つ又は複数の加工ステーションの変換あるいは適合について指示する場合には、この介入が、継続して開始され得るとともに、それぞれ先行するジョブの最後のブックブロックがちょうどこの加工ステーションを離れるとすぐに変換され得る。
【００７６】
これにより、新たなジョブに割り当てられた対応するカバーが排出のために準備されているという通知がメイン制御部へなされるとすぐに、後続のジョブの加工が直接解放され得ることが達成され得る。
【００７７】
上述のようにカバーが先行して外部でスキャンされれば、通常、カバーの排出による先行した保証が行われない。
【００７８】
この適合を基礎とする値は、このために応用される制御プロファイルが無線綴じラインのメイン制御部内にメモリされている限り、直接呼び出されることが可能である。所定のブックブロックのためにメモリされた制御プロファイルが存在しない場合には、加工のために滞っているブックブロックの電子的に検出された特性あるいは特徴は、メイン制御部が対応する一致した制御命令を、その変更が直接自動的になされる、無線綴じラインの装置及び加工ステーションへ発出することに寄与するものである。
【００７９】
このことは、いうまでもなく、少なくとも加工ステーションが対応するサーボモータを備えることを生じさせるものであり、これらサーボモータは、命令をピンポイントで変換するために、命令を制御技術的にメモリすることができるようになっている。このメモリは、メモリされた制御プロファイルの条件について充足するものである。各ブックブロックの電子的に検出された特性は、複数のセンサによって検出されることができるか、又はバーコードにおいてコード化されている。加工ステーションが対応するサーボモータを備えていれば、手動で行われる調整が包括的に不要となる。
【００８０】
メモリされた制御プロファイルは、この制御プロファイルが加工ステーションからの応答に依存して適当にチェックされ、適合され、及び／又は直接訂正されることができるように構成されることが可能である。
【００８１】
特に異なるブックブロック厚さにおいては、好ましくは溝を設けるための幾何学的な場所のカバーへの適合がなされるべきである。たわみづらい材料から成るカバーの場合には、その適用に先行して、二重に延びる折りたたみがブックブロック厚さに合わせて行われるべきである。
【００８２】
上述のように、ブックブロックの寸法の変更時には、少なくとも無線綴じラインの加工ステーションが後続のジョブの寸法へ変換され、このような変換は、好ましくはメイン制御部内にメモリされているか、又はメイン制御部内で演算される制御プロファイルの軌道によってなされることができる。先行するジョブの最後のブックブロックがこのような加工ステーションを離れるとすぐに、静止状態時間を最終的に削減するために、各加工ステーションで変換動作が連続して行われる。
【００８３】
まとめると、方法は以下のように記述されることができる：後続のジョブに属するブックブロックの解放に先行して少なくとも１つのカバーが空排出されることによって、まさしく当該カバーが後続のブックブロックと一致することが保証される。ここでも、後続のジョブに属するブックブロックの解放に先行して、この後続のジョブのためのカバーが検出され、空排出なしに直接使用可能であることが保証されることも可能である。
【００８４】
さらに、後続のジョブのブックブロックの解放に先行して、後続のジョブに属するブックブロックと一致するカバーが検出されるまで、先行するジョブの全ての過剰なカバーがカバーフィーダから空排出されることが保証されることも可能である。
【００８５】
以下に、本発明に本質的な図をリスト化し、簡単に説明する。本発明の直接的な理解に本質的でない全ての要素は省略されている。同一の要素は、異なる図において同一の符号を備えている。
【図面の簡単な説明】
【００８６】
【図１】無線綴じ機の平面図である。
【図２】図１による無線綴じ機を示す一視点における図である。
【図３】複数の枚葉紙及び／又は折丁から成るブックブロックの整向のための装置の第１の実施例を示す図である。
【図４】別のこのような装置の実施例を示す図である。
【図５】別のこのような装置の実施例を示す図である。
【図６】別のこのような装置の実施例を示す図である。
【図７】別のこのような装置の実施例を示す図である。
【発明を実施するための形態】
【００８７】
図１には、無線綴じラインとも呼ばれる無線綴じ機１が平面図で示されている。無線綴じ機１はブックブロック搬送システム２を有しており、このブックブロック搬送システムは、搬送クランプ１１，１２，１３がガイド軌道３（図２参照）に沿って、このガイド軌道３に沿って配置された加工ステーション５を通過するように運動する。図１に図示された無線綴じ機１は、駆動部４１，４２，４３（図２参照）を有しており、第１の駆動部４１が第１の搬送クランプ１１に割り当てられ、第２の駆動部４２が第２の搬送クランプ１２に割り当てられ、第３の駆動部４２が第３の搬送クランプ１３に割り当てられている。各駆動部４１，４２，４３は駆動チェーン２１，２２，２３を有しており、これら駆動チェーンには割り当てられた搬送クランプ１１，１２，１３が固定されているとともに、これら駆動チェーンは、駆動モータ３１，３２，３３によって駆動される。各駆動チェーン２１，２２，２３は、各端部でチェーンホイール４と作用結合している。このとき、駆動モータ３１，３２，３３は、無線綴じ機１の機械制御部６によって作動される。機械制御部６内には速度プロファイルがメモリされているため、各搬送クランプ１１，１２，１３は、ガイド軌道３（図２参照）に沿ってその固有の速度プロファイルで運動することが可能である。例えば、機械制御部内には、各保持位置５１，５２，５３に対して異なる長さの静止状態時間をメモリすることが可能である。したがって、ブック排出のための保持位置５３における静止状態時間は、カバーの押圧のための保持位置５２における静止状態時間よりも大幅に短い。各加工ステーション５のためにも所定の速度を設定することができ、したがって、例えば、長い乾燥プロセスあるいは冷却プロセスを可能とするために乾燥ステーション５における速度を特に低くすることが可能である。また、機械制御部６内では、生産に依存した、すなわちそれぞれ加工されるべきブックブロック１００に依存した速度プロファイルをメモリすることも可能である。
【００８８】
図２には図１による無線綴じ機１が１つの視点において図示されており、その結果、各駆動部４１，４２，４３の一部である駆動チェーン２１，２２，２３が明らかに認識できる。その他の位置の説明は、図１から見て取れる。
【００８９】
両図１及び図２には、保持位置５１においてそこで用いられる搬送クランプ１１と作用結合して装置２００が概略的に示されており、この装置は、枚葉紙及び／又は折丁から成るブックブロックの整向に役立つ。この装置は、個々のブックブロックの自動的な供給を保証することができるように構成されている。手動で行われるべき個々のブックブロックの供給を選択するべき場合には、これらブックブロックは保持位置５３において搬送クランプ１３へ入れられ、これらブックブロックは、保持位置５１においてそこで作用する装置２００によって整向される。
【００９０】
このような無線綴じ機１は、適合された静止状態時間及び運動部分における異なる運動プロファイルにより無線綴じ機の出力を向上させることができるという利点を有している。この点においては、処理機械を転換するためのブックブロックの流れの中間の停止を省略することが可能である。また、製造されるべき本又は印刷製品の品質も向上させることが可能である。なぜなら、速度プロファイルがそれぞれプロセス技術的な最適条件の近くで搬送速度あるいは停止状態時間を可能とするものであるためである。したがって、例えば、カバーの押圧のためのより長い静止状態時間は、各カバーをより良好にブックブロックへ接着させ、ブックブロックの背がより良好に成形されることができ、ブックブロックがより良好に硬化されることができることに貢献することが可能である。別の利点は、保持位置にある加工ステーションがガイド軌道に沿って解放されていること、すなわち最適な位置に配置され得ることで得られる。保持位置が互いに対して統一的な間隔をもって配置される必要がもはやない。加工ステーションは、顧客の要求に合わせて可変に網目スクリーンと共にガイド軌道に沿って配置されることが可能である。したがって、異なる機械構成を容易に提供することが可能である。
【００９１】
無線綴じ機１は、特に、搬送クランプのための少なくとも２つの保持位置と、その下方において、ブックブロック導入のための保持位置と、カバーをブックブロックへ押圧するための保持位置とを有している。場合によっては、完成したブックブロックを導出するための追加の保持位置を設けることが可能である。各保持位置では、搬送クランプが各搬送クランプに割り当てられた駆動部によって静止状態へもたらされる。また、例えば背のない小冊子、スイスブローシュア及び「オタバインド」の製造のために、ガイド軌道に沿ったブックブロックの第１の循環時に接着剤及び折りストリップを設けることができ、ガイド軌道に沿ったブックブロックの第２の循環時に接着剤及びカバーを設けることが可能である。スイスブローシュアでは、ブックブロックが背において紙ストリップ又は織物ストリップで縁取りされている。外側の３重に溝付けされた板紙カバーは、ブックブロックの背ではなく最後のページにおける狭いストリップに接着される。「オタバインド」では、カバーは側方においてのみブックブロックに接着される。カバー−背は６重に溝付けされている。ブックブロックは、第１、第２と第５、第６の溝の間でカバーに接着されている。カバーの背は、ブックブロックに接着されていない。
【００９２】
したがって、例えば各保持位置に対して対応する静止状態時間をメモリすることが可能である。また、この無線綴じ機１において、保持位置間の各運動部分に対して異なる速度をメモリすることもでき、例えば、背加工ステーションにおける速度は、乾燥ステーションにおける速度よりも大きいことがあり得る。生産に依存した速度プロファイルによって、これら速度プロファイルが製造されるべき本あるいは印刷製品、すなわち例えばそのフォーマット、ブックブロック厚さ、接着剤厚さ、接着剤、接着剤の特性、紙材料などに依存すると理解される。
【００９３】
このような装置２００の好ましくは用いられる実施態様を、図３以下において詳細に説明する。
【００９４】
図３には、枚葉紙及び／又は折丁から成るブックブロック１００の整向のために構成された装置１００が示されている。それゆえ、この装置は、本又は印刷製品の製造のための図１及び図２において図示及び説明されているように、処理機械内、無線綴じ機内における使用のために構想されている。
【００９５】
装置３００は、処理機械（図１及び図２参照）の内で第１の加工ステーションの上流において、配置されており、個々のブックブロック１００は、自動的に、又は手動で直接的に若しくは間接的に装置３００内へ供給される。この装置は、整向ステーションとして機能するとともに、少なくとも１つのベースプレート３０１で構成されている。このベースプレートは、端部側で、垂直に又はほぼ垂直に延びた少なくとも１つの本体部３０２を備えており、この本体部は、ブックブロック側で当接面３０３を形成している。
【００９６】
ベースプレートは少なくとも１つの運動体３０４を備えており、この運動体は、当接面３０３に対して少なくとも１つの運動３０５，３０６，３０７を実行し、これら運動は、機能的な理由で、枚葉紙及び／又は折丁の整向が当接したブックブロックエッジ３０８において行われるように当接面３０３と作用結合している。
【００９７】
運動体３０４は、ベルト又はプレートで構成されており、これらベルト又はプレートは、強調された運動３０５が表現しようとするように、後退ベルト又は後退プレートの基本的な機能を満たしている。一般的に、変換される運動３０５，３０６，３０７は、制御された駆動部３０９によってあらかじめ設定される。ブックブロック１００あるいは個々の構成要素１００ａの位置へ作用する、後方へ向けられた運動３０５は、ブックブロック１００の後方の当接エッジ３０８と位置固定された当接面３０３の間の個々の構成要素１００ａの１００％の位置の一致を達成させるものである。後方へ向いた運動の速度についての典型的な値は、５０ｍｍ／ｓである。この速度は、場合に応じて変更可能であり、図４〜図７による他の実施態様の運動についても質的及び／又は量的に有効である。
【００９８】
必要に応じて、位置固定された当接面３０３に対するブックブロック１００の後方の当接エッジ３０８の運動による「跳躍」を抑制することが可能な追加的な緩衝予防措置３１０を備えた当接面３０３が本体部３０２側に設定される。
【００９９】
さらに、ベースプレート３０１は好ましくは下側に配置された振動機構３１１に接続されており、その機能は、枚葉紙及び／又は折丁のそれぞれの導入（位置１００ａ参照）を行うことにある。
【０１００】
最小の振動時間は、約１秒である。無線綴じ機の個々の加工ステーションにおける押圧時間又は行われるべき厚さ設定の調整に応じて、この振動時間はより長いか、又はより短く成り得る。
【０１０１】
ただし、この振動機能によってのみでは、これによってブックブロック１００のばらばらに来る構成要素（位置１００ａ参照）が少なくとも１つのブックブロックエッジ３０８の整った整向を遂行することができるという、動作について１００％の安全性が達成されないことが実際には示されている。完璧な整向は、ここではむしろ、ベースプレートと作用結合された当接面３０３へのブックブロックのガイドによって不都合に達成される。したがって、ブックブロック全体の１００％の所定の整向は、上述の当接面の活性化によって達成される。
【０１０２】
したがって、振動運動によってのみ１００％の整向が得られるべきであれば、ブックブロック１００の、完璧に整向されていない個々の構成要素は、当接面へ整向された不図示の光電センサによって早期に検出され、この光電センサは、ブックブロックについての存在監視として機能し、これに基づき、この特定の後直接別の方法ステップが無線綴じ機内で開始され、したがって、特に、搬送クランプが機能し始め、第１の加工ステーションへのブックブロックの更なる搬送が開始される。ブックブロックの個々の構成要素の欠損した整向の補正がもはや除去され得ない。
【０１０３】
このような１００％整向されていないブックブロックの加工が個々の加工ステーション内での破損の原因も形成し得ることを除いて、搬送クランプの起動後のブックブロックの特に後方のエッジの、不備のある、存在する整向及びエラーは、依然として最小に、完成した本の品質の損失に必然的につながる。
【０１０４】
しかしながら、機構３１１による振動機能は省略されるべきではない。なぜなら、このような振動機能は、ブックブロック内の枚葉紙又は折丁を分離するのに有利であることが分かったためである。ただし、不図示の光電センサは、その存在監視を整向された当接面側のブックブロックエッジ３０８に厳密に関連してのみ行うべきである。したがって、振動機構３１１は、特に当接面側のブックブロックエッジ３０８が関連する、ブックブロックの構成要素の完璧な整向が運動体３０４、後退ベルト又は後退プレートに起因して提供されるように従属して、重要な、しかし従属した（下位の）機能を行うべきである。
【０１０５】
振動機構３１１に関するここでの実施例は、この振動機構の構造が図４〜図７による装置の構成においてもその適格性を有しており、したがってこのような振動機能の利点を省略すべきでないという事実に基づき、図４〜図７による装置の別の構成にも統合的に有効である。
【０１０６】
好ましくは後退体３０４のブックブロック側の表面がグリップ構造３１２を備えており、このグリップ構造は、ブックブロックの一方向又は他の方向における後退体の間欠的な運動時にも滑ることがないように、下側のブックブロックエッジ３１３に対するグリップを高めるものである。ブックブロック１００が反対側の大きな表面張力を発揮する傾向を有する薄い枚葉紙によって形成されていれば、後退体３０４、すなわち後退ベルト又は後退プレートが短く互いに対してなされる間欠的な後退運動３０６及び前進運動３０７を行うように設定され、このことは、最終的な目的である、振動機能を介して確保されるブックブロックの整向を保証するものである。前進運動３０７は、とりわけ、当接面側のブックブロックエッジ３０８に対する一時的な緊張緩和を生じさせる機能を有しており、これにより、この運動が必要に応じて多重に反動をつけるように構成されることが可能である。
【０１０７】
ブックブロックが一旦統合的に完璧に整向されていれば、このブックブロックは、少なくとも１つの搬送クランプ（図１、図２参照）によって捕捉され、無線綴じ機の個々の加工ステーションへ案内される。
【０１０８】
図４には、搬送ベルト４０２として形成されているとともにベースプレート４０１に統合される運動体の別の構成が示されており、ブックブロック１００の後退運動４０４としてのこの後退体の基本的な運動力学は、図３において既に詳細に説明したものと同様に構想されている。搬送ベルト４０２は、摩擦損失が生じることがないように、少なくともベースプレート４０１の検出された表面４０８の範囲においてそのベース面からやや突出して延びている。ブックブロックへ作用する、完璧な整向を生じさせるための搬送ベルト４０２の、後方へ向いた走行方向４０４は、一定に構成されている。図３において既に説明したように、一方向４０５又は他の方向への間欠的な運動も実行され得る。搬送ベルト４０２の走行方向は、方向転換４０６するように構成されることも可能である。搬送ベルトの走行方向及びその特性は、図３において詳細に説明したように、当接面側のブックブロック３０８の完璧な整向の達成に常に関連している。搬送ベルト４０２のブックブロック側の表面は、好ましくはグリップ構造４０３を備えており、このグリップ構造は、ブックブロックの一方向又は他の方向における搬送ベルト４０２の間欠的な運動４０５，４０７時にも滑ることがないように、下側のブックブロックエッジ４０９に対するグリップを高めるものである。
【０１０９】
図５には、基本的な後退運動が達成され得るような別の実施態様が示されている。この後退運動は、ベースプレート５０１が少なくとも部分的に内部に取り付けられたローラ５０２を備えることにあり、これらローラは、不図示の駆動部を介して直接的に又は間接的に作用結合しているとともに、その回転によってブックブロック１００上での線形な運動５０３を生じさせるものであり、これらローラ５０２は、図５から明らかに分かるように、このベースプレートの表面から少しだけ突出している。
【０１１０】
位置固定された当接面３０３へのブックブロック３０８の当接（Ａｕｆｓｃｈｌａｇ）がなされた後にローラ５０２の駆動部が一時的に動作停止されるように構成することも可能であり、その結果、ローラ５０２は、実際になめらかに、両回転方向において適宜自由に回転することができ、これにより、ローラによって、更なる搬送時にブックブロックへの制動作用が生じることがなく、このことは、好ましくはブックブロックが加工ステーション（図１、図２参照）への更なる搬送のために持ち上げられない場合でもある。
【０１１１】
したがって、位置固定された当接面へのブックブロックの当接がなされた後、ローラはすぐにもはやトルクを有さないか、又は回転運動のためのトルクは、ローラが当接後まずは制止され、ブックブロックが更に搬送される場合にはまだ適宜自由に回転するように構想されている。これにつづくサイクルにおいては、ローラがまずはなされるブックブロックの当接まで再び駆動される。
【０１１２】
行われた当接を介して短時間駆動されるローラの回転運動も可能である。当接面へのブックブロックエッジの持続的なこのような押圧は、図３〜図７による全ての実施態様において設定され得る。
【０１１３】
ローラを逆方向５０４に駆動することも可能であり、このことは、当接面側のブックブロックエッジ３０８への一時的な緊張緩和が達成されるべき場合であり、これにより、この運動が必要に応じて少なくとも１回反動を付けられたものでもあり得る。
【０１１４】
ブックブロックが一旦統合的に完璧に整向されていれば、このブックブロックは、少なくとも１つの搬送クランプ（図１、図２参照）によって捕捉され、無線綴じ機の個々の加工ステーションを介して案内される。
【０１１５】
図６には、ブックブロックへ作用する運動５０３，５０４（図５の説明も参照）が独自のローラ軌道６０２によってなされることに応じて図５において説明したものと基本的に同一の構造及び作用を有する別の実施態様が示されており、このローラ軌道は、フレーム６０１で包囲されているが、このようなフレームをローラ軌道に必ずしも設ける必要はない。このローラ軌道６０２のローラは、個別に駆動されるか、又は表示された横方向に作用する結合部６０３が表されるように、不図示の１つの駆動部によって共通に駆動される。ここでも、図３〜図５において既に詳細に説明したように、一方向又は他の方向における間欠的な運動を設定することが可能である。
【０１１６】
図７には、ブックブロックの構成要素の整向が進行することができるような別の態様が示されている。ここで図示された装置７００は、ここでも、処理機械（図１、図２参照）における使用のために設定されており、この装置は、処理機械内で第１の加工ステーションの上流に配置されている。ブックブロック１００は、自動的に、又は手動で装置内へ供給されることが可能である。この装置は少なくとも１つの整向ステーションで形成されていて、この整向ステーションは、少なくとも１つのベースプレート７０１又は不図示のローラ軌道（図５、図６参照）で構成されており、ベースプレート又はローラ軌道は、端部において、垂直又はほぼ垂直に延びる少なくとも１つの当接面を備えている。
【０１１７】
当接面３０３、すなわち本体部３０２全体は、当接面側のブックブロックエッジ３０８へ向けて運動し、生じる当接力によってブックブロックを加工ステーションの後方へ押す。この運動７０３の実行時には、既に説明した振動機能（図３の説明参照）の支持と同時にブックブロックの構成要素の整向が行われる。前方へ向けられたブックブロックの運動は終了し、したがって、先行するブックブロック１００のエッジがベースプレート７０１上に存在する境界箇所７０２に到達し、この境界箇所は、少なくとも１つの機械的又は電気的な要素で構成されている。この箇所では、対応する搬送クランプが係合し、この搬送クランプは、値についてブックブロックと共に前方へ運動し、そして、この状態において機能し、ブックブロックを加工ステーションへ案内する。
【０１１８】
図７から、本体部３０２の個々に実行される運動が矢印で概略的に図示されている：そこには、一方では前方へ向けられた本体部３０２の運動７０３が図示されており、この運動によって、ブックブロック１００が押される。したがって、このために起こり得るこの本体部３０２の間欠的な運動７０４が必要に応じて可能であるべきである。これに対して、図７では、矢印７０５，７０６によって本体部の逆の運動が示唆されている。全ての運動は、上述の図３〜図６で説明したものと同一の、すなわちブックブロックの処理前にこのブックブロックの完璧な整向を達成するという最終的な目的を有している。
【図１】
2018039261.tif 000003
【図２】
2018039261.tif 000004
【図３】
2018039261.tif 000005
【図４】
2018039261.tif 000006
【図５】
2018039261.tif 000007
【図６】
2018039261.tif 000008
【図７】
2018039261.tif 000009